(57)【特許請求の範囲】
【請求項１】
封水を貯溜するボウルと、前記ボウルの底部で連通し末端部が排水配管と連絡するトラップとを備え、サイホン作用を発生して汚物を排出する大便器であって、
前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より左右のいずれかの方向に偏向して案内するための案内部を設けたことを特徴とする大便器。
【請求項２】
前記案内部が両側に傾斜した面を有する凸部であることを特徴とする請求項１記載の大便器。
【請求項３】
前記凸部の断面形状が前記トラップ入口の左右方向の中心に対して左右対称の形状をなしていることを特徴とする請求項２記載の大便器。
【請求項４】
前記凸部が緩傾面の山形形状をなしていることを特徴とする請求項２又は３記載の大便器。
【請求項５】
封水を貯溜するボウルと、前記ボウルの底部で連通し末端部が排水配管と連絡するトラップとを備えサイホン作用を発生して汚物を排出し、サイホン作用の発生時に前記ボウル内に反時計回りの旋回渦が発生する大便器であって、
前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より外れた方向に偏向案内するための凸部を設け、この凸部が前記大便器の前方側からみた横方向断面において前記中心位置より右側に偏位していることを特徴とする大便器。
【請求項６】
封水を貯溜するボウルと、前記ボウルの底部で連通し末端部が排水配管と連絡するトラップとを備えサイホン作用を発生して汚物を排出し、サイホン作用の発生時に前記ボウル内に時計回りの旋回渦が発生する大便器であって、
前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より外れた方向に案内するための凸部を設け、この凸部が前記大便器の前方側からみた横方向断面において前記中心位置より左側に偏位していることを特徴とする大便器。
【発明の詳細な説明】
【０００１】
【発明の属する技術分野】
本発明は、サイホン作用を発生して汚物を排出する大便器に関する。
【０００２】
【従来の技術】
従来、サイホン作用を発生して汚物を排出する大便器として図５、６に示す大便器がある。この大便器は封水を貯溜するボウル２と、ボウル２の底面付近にて連通し、末端部は排水配管と接続されるトラップ６とを有し、ボウル２の底面付近のトラップ入口５が汚物落下位置８より前方にある。そして、汚物落下位置８からトラップ入口５至るボウル形状に下り方向の傾斜面９を設け、なおかつ横方向断面において中央部付近が凹形状１４となるようなボウル形状になっている。
【０００３】
【発明が解決しようとする課題】
従来の大便器では、用便時に汚物１１が封水中の汚物落下位置８に垂直に落下し、汚物落下位置８からトラップ入口５に至るボウル形状が下り方向に傾斜が設けられ、なおかつ横方向断面において中央部付近が凹となるようなボウル形状になっているので、ボウル２の中央部を通ってトラップ入口５へ移動する。特に体調により汚物が硬く長いものの場合、汚物はボウル中央部を通って、トラップ入口５へ移動後真っ直ぐな姿勢でトラップ入口５に立つような状態となる。この状態で図示しない洗浄水供給装置から洗浄水を送り込み洗浄を行っても、硬く長い汚物はトラップ入口５に立った姿勢でバランスしてしまい、トラップ入口５に引っ掛かり気味となり、トラップ６内へ移動できないことがあり汚物１１の排出ができない状態となる。その場合、汚物１１をトラップ６内に押し込むために洗浄操作を複数回行なう等洗浄水を無駄に使用していた。
【０００４】
そこで、本発明の目的は、硬くて長い汚物を確実にトラップ内に搬送することができ、洗浄水の無駄をなくすことができる大便器を提供することにある。
【０００５】
【課題を解決するための手段および作用】
上記目的を達成するために本発明の大便器は、封水を貯溜するボウルと、前記ボウルの底部で連通し末端部が排水配管と連絡するトラップとを備え、サイホン作用を発生して汚物を排出する大便器であって、前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より左右のいずれかの方向に偏向するように案内するための案内部を設けたことを特徴とする。
本発明によると、用便時汚物は封水へ突入し、ボウル上の汚物落下位置へ落下し、ボウルの傾斜面に設けた案内部に沿ってトラップ入口側へ移動する。そして汚物がトラップ入口の左右方向の中心からずれた位置からトラップ入口に巻き込まれるように進入していく。
【０００６】
本発明の好ましい態様としては、前記案内部が両側に傾斜した面を有する凸部であるようにする。
そうすることにより、汚物が凸部の傾斜した面に沿ってボウルの傾斜面の低い位置に案内されながらトラップ入口の左右方向の中心位置からずれた位置に搬送されていき、トラップ入口に巻き込まれるように進入していく。
【０００７】
本発明の好ましい態様としては、前記凸部の断面形状が前記トラップ入口の左右方向の中心に対して左右対称の形状をなしているようにする。
そうすることにより、汚物がトラップ入口に向って搬送されて行く際、汚物が凸部の傾斜した面に沿ってボウルの傾斜面の低い位置に案内されながらトラップ入口の左右方向の中心位置からずれた位置に搬送されていき、トラップ入口に巻き込まれるように進入していく作用があると共に、左右対称に凸部を形成したのでボウルが左右対称となり違和感のないボウル形状となる。
【０００８】
本発明の好ましい態様としては、前記凸部が緩傾面の山形形状をなしているようにする。
そうすることにより、前記作用に加えて凸部が山形形状のため滑らかな曲面で形成でき、汚物の付着が少ないボウル形状を形成できる。
【０００９】
また、別の本発明は、封水を貯溜するボウルと、前記ボウルの底部で連通し末端部が排水配管と連絡するトラップとを備えサイホン作用を発生して汚物を排出し、サイホン作用の発生時に前記ボウル内に反時計回りの旋回渦が発生する大便器であって、前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より外れた方向に偏向案内するための凸部を設け、この凸部が前記大便器の前方側からみた横方向断面において前記中心位置より右側に偏位していることを特徴とする。
本発明によると、用便時汚物は封水へ突入し、ボウル上の汚物落下位置へ落下し、汚物落下位置からトラップ入口に向けて設けられた下り方向の傾斜面によりトラップ入口側へ移動する。そして、汚物がトラップ入口へ移動する際に前記凸部により汚物落下位置からトラップ入口に至る下り傾斜の中央部を通らずに平面視で左側に若干ずれて移動し、汚物が前記大便器の前方側からみた横方向断面においてトラップ入口の左端近傍からトラップ内に進入していく。さらに、サイホンにより発生する旋回渦により容易に、硬く長い汚物でもトラップ入口で容易にトラップ方向へ反転し、トラップ内に搬送される。
【００１０】
また、別の本発明は、封水を貯溜するボウルと、前記ボウルの底部で連通し末端部が排水配管と連絡するトラップとを備えサイホン作用を発生して汚物を排出し、サイホン作用の発生時に前記ボウル内に時計回りの旋回渦が発生する大便器であって、前記ボウルの汚物落下位置から前記トラップのトラップ入口に至る面が下方に傾斜した傾斜面をなし、この傾斜面に汚物が前記トラップ入口に向って搬送されて行く際に汚物を前記トラップ入口の左右方向の中心位置より外れた方向に案内するための凸部を設け、この凸部が前記大便器の前方側からみた横方向断面において前記中心位置より左側に偏位していることを特徴とする。
本発明によると、用便時汚物は封水へ突入し、ボウル上の汚物落下位置へ落下し、汚物落下位置からトラップ入口に向けて設けられた下り方向の傾斜面によりトラップ入口側へ移動する。そして、汚物がトラップ入口へ移動する際に前記凸部により汚物落下位置からトラップ入口に至る下り傾斜の中央部を通らずに平面視で右側に若干ずれて移動し、汚物が前記大便器の前方側からみた横方向断面においてトラップ入口の右端近傍からトラップ内に進入していく。さらに、サイホンにより発生する旋回渦により容易に、硬く長い汚物でもトラップ入口で容易にトラップ方向へ反転し、トラップ内に搬送される。
【００１１】
【発明の実施の形態】
本発明に係わる第一の実施形態について説明する。図１は、図２に示す本発明の大便器の縦中央断面中の断面Ａ−Ａの位置での横断面図を示した図である。
図１において、１は大便器本体、２は封水を貯溜するボウル、３はボウル２に貯溜した封水、４は便座（図示せず）が載置されるリム上面を示す。
図２において、６はボウル２の底面付近にて連通し、末端部は排水配管と接続されるトラップ、５はボウル２とトラップ６が連通されているトラップ入口を示す。さらに、図２において、７は人が便座（図示せず）に座った場合の肛門の位置を示し、その真下に位置するボウル２上の位置は、汚物落下位置８であり、汚物落下位置８からトラップ入口５へのボウル２の形状は、図２の縦中央断面において、下り方向の傾斜面９を設け、また、下り方向の傾斜面９の横方向には、図１の横断面図に示すように中央部付近に凸形状１０を設けた。
【００１２】
図１に示す大便器によると、人が便座（図示せず）に座り、汚物１１を排出した場合、肛門位置７より汚物１１は放出され、封水３へ突入し、ボウル２上の汚物落下位置８へ落下する。汚物落下位置８へ落下した汚物１１は、汚物落下位置８からトラップ入口５に向けて設けられた下り方向の傾斜面９によりトラップ入口５側へ移動する。また、下り方向の傾斜面９の横方向には、中央部付近に凸形状１０を設けたので、汚物は図１に示すように、中央部を移動せずに、矢印１２のように左右方向に偏ってトラップ入口へ移動する。
その結果、汚物１１は図１および図２に示すように、トラップ入口５で真っ直ぐな姿勢で立つような状態とならず、左右に偏った状態となり、大便器に洗浄水を送り込み、洗浄を行うと、硬く長い汚物でも、図１および図２の矢印１３の如くトラップ入口で容易にトラップ方向へ反転でき、トラップ内へ移動し、汚物の排出ができる。特に硬く長い汚物の場合で汚物がトラップ入口５に真っ直ぐな姿勢で立つような状態となると、大便器に送り込まれる洗浄水の力のみで、汚物を変形もしくは粉砕することができず、トラップ入口で図１および図２の矢印１３の如くトラップ入口でトラップ方向へ反転できない限り、汚物の排出ができないため、本発明の如く、汚物１１を左右に偏った状態となるように、ボウル２を形成することは、汚物排出を行う上で非常に有効である。
【００１３】
さらに、本発明において、トラップ入口底面形状を後方へ傾斜する傾斜面１６としたので、さらに汚物はトラップ入口でトラップ方向へ反転し易くなり、汚物排出を行う上で非常に有効である。
【００１４】
本発明に係わる第二の実施形態について説明する。図３は本発明の大便器の上面図であり、図４は図２に示す本発明の大便器装置の縦中央断面中の断面AAの位置での横断面図を示した図である。
図３において、１５はサイホン発生時の旋回渦の方向であり、本実施形態の場合反時計回りである。図４において第一の実施形態の凸形状１０は前方より見て右側に偏心して設けてある。その他、第一の実施例と同様である。
【００１５】
図３に示す大便器によると、人が便座（図示せず）に座り、汚物１１を排出した場合、肛門位置７より汚物１１は放出され、封水３へ突入し、ボウル２上の汚物落下位置８へ落下する。汚物落下位置８へ落下した汚物１１は、汚物落下位置８からトラップ入口５に向けて設けられた下り方向の傾斜面９によりトラップ入口５側へ移動する。また、下り方向の傾斜面９の横方向には、図４に示すように中央部より右側に偏心した位置に凸形状１０を設けたので、汚物は図１に示すように、中央部を移動せずに、矢印１２のように左側に偏ってトラップ入口へ移動する。
その結果、汚物１１は図２、図３および図４に示す如く、トラップ入口５で真っ直ぐな姿勢で立つような状態とならず、左側に偏った状態となり、大便器に洗浄水を送り込み洗浄を行い、サイホンによって発生した旋回渦１５により、硬く長い汚物でも図２、図３および図４の矢印１３の如くトラップ入口で容易にトラップ方向へ反転でき、トラップ内へ移動し汚物の排出ができる。特に硬く長い汚物の場合で汚物がトラップ入口５に真っ直ぐな姿勢で立つような状態となると、大便器に送り込まれる洗浄水の力のみで、汚物を変形もしくは粉砕することができず、トラップ入口で図２、図３および図４の矢印１３の如くトラップ入口でトラップ方向へ反転できない限り、汚物の排出ができないため、本発明の如く汚物１１を左側に偏った状態となるように、ボウル２を形成することは、汚物排出を行う上で非常に有効である。
【００１６】
また、サイホンによって発生する旋回渦が時計回りの場合は、凸形状１０の位置は中央より左側に偏った位置に設ける方が好ましい。
【００１７】
【発明の効果】
本発明によれば、硬くて長い汚物を確実にトラップ内に搬送することができ、洗浄水の無駄をなくすことができる大便器が実現できる。
【図面の簡単な説明】
【図１】本発明に係る大便器の第一実施形態の横断面を示す図である。
【図２】本発明に係る大便器の第一実施形態の縦中央断面を示す図である。
【図３】本発明に係る大便器の第二実施形態の上面を示す図である。
【図４】本発明に係る大便器の第二実施形態の横断面を示す図である。
【図５】図６の従来技術に係る大便器のＢ−Ｂ断面図である。
【図６】従来技術に係る大便器の縦中央断面を示す図である。
【符号の説明】
１…大便器本体
２…ボウル
３…封水
４…リム上面
５…トラップ入口
６…トラップ
７…肛門位置
８…汚物落下位置
９…下り方向の傾斜面
１０…凸形状
１１…汚物
１２、１３…汚物移動矢印
１４…凹形状
１５…サイホン発生時の旋回渦の方向
１６…傾斜面
【図１】
0003788356.tif 000002
【図２】
0003788356.tif 000003
【図３】
0003788356.tif 000004
【図４】
0003788356.tif 000005
【図５】
0003788356.tif 000006
【図６】
0003788356.tif 000007